(57)【要約】【課題】  スタートキーを操作することなく、原稿の読取が可能な原稿読取装置を提供する。【解決手段】  前の原稿を読取ってから時間ａが経過してから、原稿を給紙トレイに挿入した後、挿入から所定時間ｂ内に抜取り、その後一定時間ｂ内に、再度原稿を給紙トレイに挿入し、挿入されている時間が所定時間ｃを超えていることを原稿センサが検出すれば、スタートキーを操作することなく原稿の読取開始を指示する。【選択図】      図３
2006222517.tif 000002
【特許請求の範囲】
【請求項１】
原稿を読取るための原稿読取装置であって、
前記原稿を読取るための読取手段と、
前記原稿を前記読取手段に供給するための原稿供給手段と、
前記原稿の読取を予め通知するための通知手段と、
前記原稿供給手段に前記原稿が装着されたことを検知するための原稿検知手段と、
前記通知手段によって前記原稿の読取が予め通知された後、前記原稿検知手段によって前記原稿が前記原稿供給手段に装着されたことが検知されたことに応じて、前記原稿供給手段から前記原稿を前記読取手段に供給して読取るための制御手段とを備える、原稿読取装置。
【請求項２】
前記通知手段は、前記原稿検知手段に兼用され、
前記制御手段は、前記原稿検知手段によって前記原稿が前記原稿供給手段に装着されたことが検出され、所定時間内に前記原稿を検出しなくなったことに応じて、前記原稿の読取が通知されたものと判別する、請求項１に記載の原稿読取装置。
【請求項３】
前記制御手段は、前記原稿検知手段によって所定時間内に前記原稿を検出しなくなった後、前記所定時間内に前記原稿検知手段によって前記原稿が前記原稿供給手段に装着されたことが検知されたことに応じて、前記原稿供給手段から前記原稿を前記読取手段に供給する、請求項２に記載の原稿読取装置。
【請求項４】
前記制御手段は、前記原稿検知手段によって、前記所定時間経過後所定の時間だけ前記原稿が装着されていることが検出されていることに応じて、前記原稿供給手段による前記読取手段への原稿の供給を行う、請求項３に記載の原稿読取装置。
【請求項５】
前記制御手段は、前記原稿検知手段によって、前記所定時間経過後所定の時間前記原稿が装着されなくなったことが検出されたことに応じて、前記原稿供給手段による前記読取手段への原稿の供給を行わない、請求項３に記載の原稿読取装置。
【請求項６】
前記通知手段は、前記原稿供給手段の近傍に設けられて、前記原稿が挿入されたことを検出して前記原稿の読取を予め通知するセンサである、請求項１から５のいずれかに記載の原稿読取装置。
【請求項７】
前記通知手段は、操作することで前記原稿の読取りを予め通知するスイッチである、請求項１から５のいずれかに記載の原稿読取装置。
【発明の詳細な説明】
【技術分野】
【０００１】
この発明は原稿読取装置に関し、特に、複写機やＦＡＸやスキャナなどの読取面に載置された原稿を読取る原稿読取装置に関する。
【背景技術】
【０００２】
複写機やＦＡＸやスキャナなどには、原稿を読取るための原稿読取装置が内蔵されており、給紙トレイや原稿載置台に原稿を載置して、スタートキーを操作すると原稿の読取が開始される。しかし、原稿を持つ手とスタートキーを操作する手とが同じ場合、原稿を給紙トレイや原稿載置台に載置した後、スタートキーの位置まで手を移動させてキーを押す動作になり、時間のロスを生じる。
【０００３】
また、原稿を持つ手と、違う手で押せる装置も考えられているが、その手が塞がっていた場合には、原稿を給紙トレイや原稿載置台に載置してから、その手をスタートキーの位置まで移動せざるを得なかった。このような不都合を解消するために、特開２０００ー３４９９７９号公報（特許文献１）には、原稿を原稿載置台に載置したことを原稿センサで検出すると、原稿の読取を開始する画像形成装置について記載されている。
【特許文献１】特開２０００ー３４９９７９号公報（段落番号００３１〜００３９、図３）
【発明の開示】
【発明が解決しようとする課題】
【０００４】
特許文献１に記載された画像形成装置では、原稿を原稿載置台に載置したことが検出されると、原稿の読取が開始されてしまうので、単に原稿を載置しただけでも読取動作が行われてしまうという問題がある。原稿を読取る前に、確認したい場合があっても、読取が行われてしまい、間違った原稿でも確認する前に読取られるので、読取が無駄になることもあり得る。
【０００５】
そこで、この発明の目的は、スタートキーを操作することなく、原稿の読取を指示できる原稿読取装置を提供することである。
【課題を解決するための手段】
【０００６】
この発明は、原稿を読取るための原稿読取装置であって、原稿を読取るための読取手段と、原稿を読取手段に供給するための原稿供給手段と、原稿の読取を予め通知するための通知手段と、原稿供給手段に原稿が装着されたことを検知するための原稿検知手段と、通知手段によって原稿の読取が予め通知された後、原稿検知手段によって原稿が原稿供給手段に装着されたことが検知されたことに応じて、原稿供給手段から原稿を読取手段に供給して読取るための制御手段とを備える。
【０００７】
このように原稿の読取を予め通知しておいた後に原稿を原稿供給手段に装着することで、スタートキーなどを操作することなく原稿の読取開始を指示できる。
【０００８】
好ましくは、通知手段は原稿検知手段に兼用され、制御手段は原稿検知手段によって原稿が原稿供給手段に装着されたことが検出され、所定時間内に原稿を検出しなくなったことに応じて、原稿の読取が通知されたものと判別する。
【０００９】
制御手段は、原稿検知手段によって所定時間内に原稿を検出しなくなった後、所定時間内に原稿検知手段によって原稿が原稿供給手段に装着されたことが検知されたことに応じて、原稿供給手段から原稿を読取手段に供給する。
【００１０】
制御手段は、原稿検知手段によって、所定の時間経過後予め定める所定の時間だけ原稿が装着されていることが検出されていることに応じて、原稿供給手段による読取手段への原稿の供給を行う。
【００１１】
制御手段は、原稿検知手段によって、所定時間が経過しないうちに原稿が装着されなくなったことが検出されたことに応じて、原稿供給手段による読取手段への原稿の供給を行わない。
【００１２】
通知手段は、一の実施形態では原稿供給手段の近傍に設けられて、原稿が挿入されたことを検出して原稿の読取を予め通知するセンサであり、他の実施形態では、通知手段は、操作することで原稿の読取りを予め通知するスイッチである。
【発明の効果】
【００１３】
以上のように、この発明によれば、原稿の読取を予め通知しておいた後に原稿を原稿供給手段に装着することで、スタートキーなどを操作することなく原稿の読取開始を指示できるので、スタートキーの位置まで手を移動させてキーを押す動作が不要になり、時間のロスを生じることがない。
【００１４】
また、同じ手でスタートキーを操作するために原稿を持ち替えることなく読取の開始を指示できるので、作業効率が向上する。さらに、一方の手で原稿を持ち、他方の手で他の物を持っている場合であっても、一方の手で原稿の読取を通知するための操作を行った後、原稿を原稿供給手段に装着することで原稿の読取指示が可能になる。
【発明を実施するための最良の形態】
【００１５】
図１はこの発明の一実施形態における原稿読取装置の側面図である。図１において、原稿読取装置１は筐体２と、押え蓋３と、原稿供給手段としての原稿給送部４とを含む。筐体２には光学読取系が内蔵されている。光学読取系は、図１では光源となるランプ５のみを示しており、モータで駆動される移動フレームにランプ５および反射ミラーを含む光学系を取付け、集光レンズと画像読取用の読取手段としての撮像素子（ＣＣＤ）を筐体２内に設けて構成されている。ランプ５を含む光学系は図１に示す矢印方向に往復運動する。
【００１６】
筐体２の上面には、原稿載置台となる透明なカバーガラス６が取付けられている。押え蓋３は、基板７と、給紙トレイ８と、排出トレイ９とを有しており、筐体２の上面端部に図示しないヒンジ機構により開閉可能に取付けられている。押え蓋３は、カバーガラス６に対して開閉動作する開閉板として作用する。
【００１７】
原稿給送部４は給紙トレイ８に載せられている原稿（図示せず）を取込んで反転させる。その原稿は原稿給送部４内を搬送され、透光板４ｋ上を通過する際に原稿の画像が光学読取系で読込まれて排出トレイ９に排出される。原稿給送部４内には、給紙トレイ８上の最上部の原稿を取込むための給送ローラ４ａと分離ローラ４ｂとが設けられている。また、給送ローラ４ａの側方には給紙補助ローラ４ｃが設けられており、ベルト４ｄにより給送ローラ４ａからの駆動力が伝達される。
【００１８】
給紙補助ローラ４ｃは、給送ローラ４ａの回転に伴ってベルト４ｄから駆動力が伝達されて給送ローラ４ａと同方向に回転するとともに、下降して給紙トレイ８上の最上部にある原稿の上面に当接して、給送ローラ４ａによる紙送りを補助する。給送ローラ４ａと分離ローラ４ｂの下流側には、搬送ローラ４ｅと従動ローラ４ｆ，４ｇが設けられている。
【００１９】
給送ローラ４ａと分離ローラ４ｂとにより原稿給送部４内に取込まれた原稿は、搬送ローラ４ｅと従動ローラ４ｆ，４ｇ間に狭持されつつ搬送されて反転させられた後に、透光板４ｋ上を通過する。この透光板４ｋを通して原稿の画像が光学読取系で読取られる。透光板４ｋ上を通過した原稿は、１対の排出ローラ４ｈ，４ｉによって搬送され、排出口４ｊより排出トレイ９上に排出される。
【００２０】
給紙トレイ８の先端部には、原稿がセットされたことを検出する原稿検知手段としての原稿センサ１０が設けられている。この原稿センサ１０は、例えば光電センサなどが用いられる。原稿検知手段としての原稿センサ１０は、原稿の読取りを指示する通知手段を兼用している。
【００２１】
図２はこの発明の一実施形態における原稿読取装置の概略ブロック図である。制御部１１には、図１に示したランプ５と原稿センサ１０とが接続されているとともに、操作部１２とＣＣＤ１３とモータ１４と画像メモリ１５とが接続されている。操作部１２はスタートキーを含むとともに、読取時の解像度や縮小率などを設定するためのキーを含む。設定した解像度などを表示するために、必要に応じて表示部を設けてもよい。
【００２２】
ＣＣＤ１３は原稿の画像を読取り、原稿センサ１０は図１で説明したように原稿が給紙トレイ８にセットされたことを検出する。ランプ５は原稿の読取面を照射する。モータ１４は図１に示した原稿給送部４を駆動する。画像メモリ１５はＣＣＤ１３で読取られた原稿の画像データを記憶する。タイマー２０はタイマーＡ，Ｂ，Ｃ，Ｄを含み、後述の図３に示すタイミングを検出する。
【００２３】
図２に示した原稿読取装置を複写機，スキャナ，ＦＡＸの機能を有する複合機に適用する場合には、その他にプリンタや、通信部などが設けられる。
【００２４】
この発明の一実施形態では、原稿読取装置１で原稿の読取を行っていないアイドル状態において、給紙トレイ８に最初に原稿を挿入した後、一度原稿を抜取ることで、原稿の読取を予め通知しておき、原稿を給紙トレイ８に再度挿入することにより、スタートキーからの指示がなくとも原稿の読取開始が指示されたものとして、原稿の読取を開始する。
【００２５】
この読取開始について、図３を参照してより具体的に説明する。図３はこの発明の一実施形態における原稿読取装置の動作を説明するための図である。図３に示す実線は原稿センサ１０の検出出力を示している。
【００２６】
時間Ｂ１は原稿の最初の挿入から原稿の２回目の挿入までの時間であり、タイマーＢによって規定される。時間Ｃ１は原稿を２回目に挿入してから原稿の読取開始と判断するまでの時間であり、タイマーＣによって規定される。時間Ｄ１は原稿の１回目の挿入時間であり、タイマーＢおよびタイマーＤによって規定される。
【００２７】
時間ｂ〜ｄは、時間Ｂ１〜Ｄ１を規定するための時間範囲を定めており、時間ｂは原稿の２回目の挿入とみなす時間範囲であり、原稿の１回目の挿入であると判断された後、タイマーＢによって計数される時間ｂがタイムアップするまでに原稿の２回目の挿入を検出したとき、原稿の２回目の挿入であると判断される。
【００２８】
時間ｃは原稿の２回目の挿入であると判断されてから読取開始と判断される時間範囲である。タイマーＣで計数される時間ｃがカウントアップするまで図３（Ａ）の実線で示すように、原稿が検出され続ければ、原稿の読取開始を指示する。時間ｄはチャッタリングを除去する時間範囲であり、タイマーＤにより計数される。時間ｄの時間範囲内では、原稿検出の有無は無視される。
【００２９】
タイマーＣで計数される時間ｃがカウントアップするまでに図３（Ａ）の点線で示すように、原稿が抜取られたときを図３（Ｂ）に示す。時間Ａ１は前記原稿が抜き取られてから再度原稿検出をスタートするまでの時間であり、タイマーＡによって規定される。時間ａは、時間Ａ１を規定するための時間範囲を定めており、タイマーＡで計数される時間ａがカウントアップするまで原稿検出は行われない。したがって、図３（Ｂ）のＥ１は無視される。
【００３０】
図４はこの発明の一実施形態における原稿読取装置の原稿挿入から読取開始までの動作を説明するためのフローチャートである。
【００３１】
制御部１１は、ステップ（図示ではＳＰと略称する）ＳＰ１において、原稿センサ１０によって原稿が検出されているか否かを判別し、原稿が給紙トレイ８にあることを判別していれば、１回目の原稿検知動作に入り、この時ステップＳＰ２において、タイマーＢ（時間ｂ），Ｄ（時間ｄ）をスタートする。
【００３２】
ステップＳＰ３において、原稿センサ１０の検出信号のチャッタリングによる誤検出を防止するためタイマーＤによる時間ｄがタイムアップするまで原稿センサ１０の信号の検出を行わない。タイマーＤがカウントアップすると、ステップＳＰ４に進みこのカウントアップ時に原稿が検出されているかどうかを判断し、原稿が検出されていなければ（ステップＳＰ４のＮＯ）、原稿が抜き取られたか、あるいは原稿センサ１０の誤検知等と思われるためステップＳＰ１に戻る。
【００３３】
原稿が検出されていれば（ステップＳＰ４のＹＥＳ）１回目の検知であることを確定し、ステップＳＰ５において原稿が抜き取られるのを検出する。この時タイマーＢによる時間ｂがタイムアップするまで原稿が抜き取られるのを検出するが（ＳＰ５のＮＯ→ＳＰ６のＮＯ→ＳＰ５）、原稿が抜き取られないまま、ステップＳＰ６において、タイマーＢがタイムアップすると（ステップＳＰ６のＹＥＳ）通常の原稿セットと判断する。すなわち、従来と同様にしてスタートキーの指示による読取であると判断して、スタートキーが操作されるのを判断して読取処理を行う。もしスタートキーが操作されずに、その後原稿が抜き取られるとステップＳＰ１に戻る。
【００３４】
ステップＳＰ６において、タイマーＢがタイムアップする前に原稿が抜き取られるのを検出すると（ステップＳＰ５のＹＥＳ）、ステップ９において、２回目の原稿検知を開始するが、１回目に原稿を検知してから２回目に原稿を検知するまでの時間が長いときに、読取開始と判断しないようにタイマーＢによる時間ｂがタイムアップするまで原稿の検知を行う（ステップＳＰ９のＮＯ→ステップＳＰ１０のＮＯ→ステップＳＰ９）。
【００３５】
タイマーＢによる時間ｂがタイムアップするまで原稿が検知されなければ（ステップＳＰ１０のＹＥＳ）、原稿の読取は中止されたと判断し、ステップＳＰ１に戻る。タイマーＢによる時間ｂがタイムアップするまでに原稿が検知されれば（ステップＳＰ９のＹＥＳ）、ステップＳＰ１１に進む。
【００３６】
タイマーＤによる計数時間ｄは、例えば１００ｍｓｅｃに定められており、タイマーＢによる計数時間ｂは、例えば１０００ｍｓｅｃに定められている。
【００３７】
ステップＳＰ１１において、タイマーＣにより時間ｃの計数を開始する。時間ｃは、例えば１０００ｍｓｅｃ〜２０００ｍｓｅｃに選ぶのが望ましい。その後、タイマーＣがカウントアップするまで原稿が検出され続けているかが判断され（ステップＳＰ１２のＹＥＳ→ステップＳＰ１３のＮＯ→ステップＳＰ１２）、原稿が抜き取られないままタイマーＣがタイムアップすると（ステップ１３のＹＥＳ）、ステップ１４において、原稿が給紙トレイ８に装着されて読取りの準備が完了しているものと判別して読取開始を指示する。
【００３８】
すなわち、制御部１１は原稿の読取指示を出力して、モータ１４を駆動して給紙トレイ８にセットされた原稿を原稿給送部４により給送させ、給送された原稿をＣＣＤ１３により読取る。ＣＣＤ１３により読取られた原稿の画像データは画像メモリ１５に記憶される。画像メモリ１５に記憶された画像データは、必要に応じてプリンタにより印刷されたり、あるいは通信部を介して出力される。その後ＳＰ１５において、読み込みが終了するとステップＳＰ１に戻る。
【００３９】
タイマーＣがカウントアップするまでに原稿が抜き取られると（ステップＳＰ１２のＮＯ）、ステップＳＰ１６において、次の原稿の読取指示を許容するための時間ａを計数するためにタイマーＡの計数を開始させる。ステップＳＰ１７において、タイマーＡが時間ａの計数を終了したか否かを判別し、終了していなければステップＳＰ１７に戻り、終了していればステップＳＰ１に戻る。
【００４０】
上述のごとく、この実施形態によれば、給紙トレイ８に最初に原稿を挿入した後、一度原稿を抜き、再度挿入することにより、原稿の読取を予め通知し、スタートキーからの指示がなくとも原稿の読取開始を指示することができる。したがって、スタートキーの位置まで手を移動させてキーを押す動作が不要になり、時間のロスを生じることがない。
【００４１】
また、オペレータが同じ手でスタートキーを操作するために原稿を持ち替えることなく読取の開始を指示できるので、作業効率が向上する。しかも、原稿を給紙トレイ８に挿入後に、１度原稿を引抜くことで原稿の確認を行うことが可能になり、誤って原稿を読取るおそれをなくすことができる。さらに、オペレータが一方の手で原稿を持ち、他方の手で他の物を持っている場合であっても、一方の手で原稿を給紙トレイに８に抜き差しすることで原稿の読取指示が可能になる。
【００４２】
図５は、この発明の他の実施形態における原稿読取装置の外観斜視図であり、図６は図５に示した読込開始指示センサを示す外観図である。図６において、（Ａ）は上面図であり、（Ｂ）は図５の手前側から見た正面図であり、（Ｃ）は右側面図である。
【００４３】
図５において、原稿読取装置は、図１と同様にして、押え蓋３と、原稿給送部４と、給紙トレイ８とを含み、原稿給送部４上には通知手段としての読込開始指示センサ３０が設けられている。図１〜図４に示した実施形態では、給紙トレイ８に原稿を挿入した後に引抜くことで原稿の読取を通知するようにしたのに対して、この実施形態では、読込開始指示センサ３０で原稿５０の一部を読取らせて、その原稿５０の読取を通知した後、給紙トレイ８に原稿５０を挿入することで原稿の読取を指示する。
【００４４】
読込開始指示センサ３０はセンサケース３１を含み、センサケース３１内に原稿５０が挿入されたことを検出するフォトインタラプタ３２が内蔵されている。センサケース３１には、フォトインタラプタ３２の発光ダイオードとフォトダイオードとの間を原稿５０が挿入できるように、溝３３が形成されている。溝３３の右側面には図６（Ｂ）に示すように、原稿５０が挿入し易いように開口部が広く形成されている。
【００４５】
図７は、図５および図６に示した読込指示センサを用いて原稿読取指示を行う実施形態の動作を示すフローチャートである。オペレータは原稿５０を原稿読取装置で読取らせるときには、原稿５０を読込指示センサ３０の溝３３に挿入して、フォトインタラプタ３２により読取らせた後、その原稿５０を給紙トレイ８に挿入する。
【００４６】
図２に示した制御部１１は、図７に示すステップＳＰ２１において、読込指示センサ３０によって原稿５０が検出されたか否かを判別し、原稿５０が検出されたことを判別すると、ステップＳＰ２２において、タイマーＢをスタートし時間ｂの計測を開始する。
【００４７】
ステップ２３において、原稿検出センサ１０によって原稿５０が給紙トレイ８に挿入されたか否かの判別を開始するが、読込指示センサ３０によって原稿５０が検出されてから原稿検出センサ１０によって原稿５０が給紙トレイ８に挿入されるまでの時間が長いときに、読取開始と判断しないようにタイマーＢによる時間ｂがタイムアップするまで原稿の検知を行う（ステップＳＰ２３のＮＯ→ステップＳＰ２４のＮＯ→ステップＳＰ２３）。タイマーＢによる時間ｂがタイムアップするまで原稿が検知されなければ（ステップＳＰ２４のＹＥＳ）、原稿の読取は中止されたと判断し、ステップＳＰ２１に戻る。タイマーＢによる時間ｂがタイムアップするまでに原稿が検知されれば（ステップＳＰ２３のＹＥＳ）、ステップＳＰ２５に進む。
【００４８】
ステップＳＰ２５において、タイマーＣにより時間ｃが計数される。なお、この実施形態では、図２に示したタイマー２０に含まれているタイマーＢとタイマーＣが使用される。時間ｃは、例えば１０００ｍｓｅｃ〜２０００ｍｓｅｃに選ぶのが望ましい。その後、タイマーＣがカウントアップするまで原稿が検出され続けているかが判断され（ステップＳＰ２６のＹＥＳ→ステップＳＰ２７のＮＯ→ステップＳＰ２６）、原稿が抜き取られないままタイマーＣがタイムアップすると（ステップ２７のＹＥＳ）、ステップ２８において、原稿が給紙トレイ８に装着されて読取りの準備が完了しているものと判別して読取開始を指示する。
【００４９】
タイマーＣがカウントアップするまでに原稿が抜き取られると（ステップＳＰ２６のＮＯ）、ステップＳＰ２１に戻る。
【００５０】
したがって、この実施形態においても、図１〜図４の実施形態と同様にして、原稿の読取を予め通知し、スタートキーからの指示がなくとも原稿の読取開始を指示することができる。
【００５１】
なお、図５に示した読込指示センサ３０に代えて、原稿の読取を通知するスイッチを設け、原稿を給紙トレイ８に挿入する前に、このスイッチを操作して原稿の読取を通知し、その後、原稿を給紙トレイ８に挿入して原稿を読取るように構成してもよい。従来では、操作性を良好にするために、給紙トレイ８の原稿挿入側に近い場所にスタートキーを設けていたが、この実施形態を採用することにより、スタートキーを任意の場所に設けても操作性が悪くなることがない。
【００５２】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００５３】
【図１】この発明の一実施形態における原稿読取装置の側面図である。
【図２】この発明の一実施形態における原稿読取装置の概略ブロック図である。
【図３】この発明の一実施形態における原稿読取装置の動作を説明するためのタイミング図である。
【図４】この発明の一実施形態における原稿読取装置の原稿挿入から読取開始までの動作を説明するためのフローチャートである。
【図５】この発明の他の実施形態における原稿読取装置の外観斜視図である。
【図６】図５に示した読込開始指示センサを示す外観図である。
【図７】図５および図６に示した読込指示センサを用いて原稿読取指示を行う実施形態の動作を示すフローチャートである。
【符号の説明】
【００５４】
１  原稿読取装置、２  筐体、３  押え蓋、４  原稿給送部、５  ランプ、８  給紙トレイ、９  排出トレイ、１０  原稿センサ、１１  制御部、１２  操作部、１３  ＣＣＤ、１４  モータ、１５  画像メモリ、２０  タイマー、３０  読込指示センサ、３１  センサケース、３２  フォトインタラプタ、３３  溝、５０原稿。
【図１】
2006222517.tif 000003
【図２】
2006222517.tif 000004
【図３】
2006222517.tif 000005
【図４】
2006222517.tif 000006
【図５】
2006222517.tif 000007
【図６】
2006222517.tif 000008
【図７】
2006222517.tif 000009